(57)【要約】【課題】天井構造や壁面に設置される機器では、ネジ締結部品を着脱する際にネジを落下させ、落下したネジにより下にあった器物が損傷したり、ネジ自体が紛失したりするので、ネジを外す際にネジの落下を防ぐ落下防止構造を得る。【解決手段】緩めることで落下するおそれのあるネジ８に対し、そのネジ８を挿通するネジ挿通孔の孔縁に、ネジ８の螺進退を許容し、ネジ８のネジ頭１２に対しては抜脱を規制する突出部１１を設ける。突出部は四本の支持脚１３で構成し、その対向する二本についてはネジ頭の抜けを防ぐ弾性変形する爪１４を設け、この爪１４の弾性変形を利用してネジ８を四本の支持脚１３の中にネジ締め方向に向けて収める。【選択図】          図２
2004340323.tif 000002
【特許請求の範囲】
【請求項１】
緩めることで落下するおそれのあるネジに対し、そのネジを挿通するネジ挿通孔の孔縁に、前記ネジの螺進退を許容し、同ネジのネジ頭に対しては抜脱を規制する突出部を設けたネジ落下防止構造。
【請求項２】
請求項１に記載のネジ落下防止構造であって、突出部をネジの周囲を囲む複数の支持脚で構成したネジ落下防止構造。
【請求項３】
請求項２に記載のネジ落下防止構造であって、支持脚をほぼ９０度ずれた位置に四本設け、そのうちの対面する二つの支持脚の頂部にはネジ頭を被冠する爪を内方へ突出させた構成のネジ落下防止構造。
【請求項４】
請求項１〜請求項３までのいずれかに記載のネジ落下防止構造であって、突出部を弾性変形可能な構造とし、その突出部内にネジを弾性変形によって嵌込み、あるいは突出部からネジを脱離できるネジ落下防止構造。
【請求項５】
請求項１〜請求項４までのいずれかに記載のネジ落下防止構造であって、突出部をネジ挿通孔を有する部品と合成樹脂により一体成形したネジ落下防止構造。
【請求項６】
請求項５に記載のネジ落下防止構造を備えた締結部品。
【請求項７】
請求項６に記載の締結部品を備えた機器。
【発明の詳細な説明】
【０００１】
【発明の属する技術分野】
本発明は、緩めることにより落下するおそれのある部分にネジ締めされるネジに対してその落下を防止するネジ落下防止構造及びネジ落下防止構造を備えた締結部品並びに機器に関するものである。
【０００２】
【従来の技術】
電気機器を始め、多くの機器にはネジで締結され着脱できる締結部品がある。その中には、建物の天井構造や壁面などに設置されるもので、ネジ締めされたカバーにより被覆された接続端子を備えた換気装置がある（例えば、特許文献１参照）。
【０００３】
【特許文献１】
実公平６―５５４５号公報
【０００４】
【発明が解決しようとする課題】
上記した従来の換気装置やその他の機器において、天井構造や壁面に設置される機器では、締結部品を着脱する際にネジを落下させ、落下したネジにより下にあった器物が損傷したり、ネジ自体が紛失したりする煩わしい問題が伴い勝ちであった。
【０００５】
本発明は、係る従来の問題点を解決するためになされたものであって、その課題とするところは、ネジの脱着においてネジが落下することのないネジ落下防止構造を得ることであり、そのネジ落下防止構造を備えた締結部品や機器を開発することである。
【０００６】
【課題を解決するための手段】
前記課題を達成するために本発明は、緩めることで落下するおそれのあるネジに対し、そのネジを挿通するネジ挿通孔の孔縁に、ネジの螺進退を許容し、ネジのネジ頭に対しては抜脱を規制する突出部を設ける手段を採用する。これにより、ネジ締め込みに当っても、緩めに当ってもネジは突出部に案内され、ネジを保持していなくても良い。そして緩めたネジはネジ頭が突出部により抜出を規制されるので落下することがない。
【０００７】
【発明の実施の形態】
図１は、本実施の形態の換気装置の全体を示す斜視図、図２はそのグリルを除いて示す底面図である。この換気装置１は、天井構造に吸込口２を室内に下向きに臨ませて取付けられる。吸込口２には天井面に沿う係脱可能のグリル３が装着される。送風機４を収めた本体箱体５の一隅部には接続端子６が樹脂製の端子ボックス７に収められて取付けられている。端子ボックス７は、開放した下面がネジ８により係脱できる樹脂製のカバー９で被蓋されている。接続端子６には設置後に電源コードが接続される。
【０００８】
カバー９のネジ８を挿通するネジ挿通孔１０の孔縁には、ネジ８をそのほぼ全長にわたりネジ締め方向に向かって収納した突出部１１がネジ落下防止構造としてカバー９に一体成形されている。突出部１１は、ネジ頭１２の外径を囲む四本の支持脚１３で構成されている。四本の支持脚１３は、互いに９０度ずつずれた位置にあり、ネジ８を保持するに足る剛性を備えている。支持脚１３の対向する二本は、図３に示すようにネジ頭１２の外径にほぼ等しい間隔で基部から先端まで同じ太さで起立している。
【０００９】
そして他の対向する二本もネジ頭１２の外径にほぼ等しい間隔で起立しているが、その先端には、図４に示すようにネジ頭１２の外径の中に突出す爪１４が内向きに形成されている。この爪１４は外面の内端部が内向きの斜面に構成され、比較的容易に弾性変形する。換気装置１の組立てにおいては、ネジ８を支持脚１３の中にネジ部から入れ、ネジ頭１２を押し込むと、爪１４が内側へ弾性変形してネジ頭１２の通過を許容し、ネジ８を四本の支持脚１３の中に簡単に収めることができる。また、支持脚１３を締結部品であるカバー９に一体成形しているので、ネジ落下防止構造が脱落することもない。
【００１０】
接続端子６に電源コードを接続する際には、締結部品であるカバー９を端子ボックス７からネジ８を緩めて外す必要があるが、端子ボックス７にネジ込まれているネジ８を緩めても、ネジ８は四本の支持脚１３にガイドされて螺退し、保持する必要はなく端子ボックス７から外すことができ、落下することもない。カバー９の装着においても支持脚１３によってネジ込み方向に保持されているネジ８をそのままネジ頭１２に工具を当ててネジ込めばよく、カバー９の脱着を簡単に行うことができる。
【００１１】
なお、ネジ落下防止構造としては、図５に平面図で示すように周方向に分割した円筒状の突出部１１としてもよい。
【００１２】
このネジ落下防止構造は、換気装置１等の電気機器の他にも、図６に示すような天井や壁面に取付けられる照明機器１５の電源コード接続部のネジや、図７に示すような壁取付形のスイッチボックス１６にも採用することができる。さらには、図８に示すような壁面に装着される通気端末部品であるベントキャップ１７の取付け用のネジ８に対しても適用することができる。
【００１３】
【発明の効果】
本発明によれば、ネジの脱着においてネジが落下することのないネジの脱着操作の容易なネジ落下防止構造が得られる。
【図面の簡単な説明】
【図１】実施の形態の換気装置の斜視図である。
【図２】実施の形態の換気装置の底面図である。
【図３】実施の形態のネジ落下防止構造を示す図２におけるＡ―Ａ線
での拡大断面図である。
【図４】実施の形態のネジ落下防止構造を示す図２におけるＢ―Ｂ線
での拡大断面図である。
【図５】実施の形態の他のネジ落下防止構造を示す平面図である。
【図６】ネジ落下防止構造を適用できる照明機器を示す分解斜視図である。
【図７】ネジ落下防止構造を適用できるスイッチボックスを示す斜視図である。
【図８】ネジ落下防止構造を適用できるベントキャップを示す斜視図である。
【符号の説明】
１  換気装置、  ７  端子ボックス、  ８  ネジ、  ９  カバー、  １０  ネジ挿通孔、  １１  突出部、  １２  ネジ頭、  １３  支持脚、  １４  爪。
【図１】
2004340323.tif 000003
【図２】
2004340323.tif 000004
【図３】
2004340323.tif 000005
【図４】
2004340323.tif 000006
【図５】
2004340323.tif 000007
【図６】
2004340323.tif 000008
【図７】
2004340323.tif 000009
【図８】
2004340323.tif 000010